(57)【要約】  本発明の実施形態は、一般に、入れ子式飲料容器およびその方法に関する。より具体的には、本発明の実施形態は、隣接する容器との連結機能を有し、それにより、容易な輸送および低コストのパッケージングを可能にする改良された飲料容器に関する。一実施形態において、入れ子式飲料容器は、大容積本体内への開口、シール手段、および、シール手段の下側に配置される接続手段を備える上部と、隣接して入れ子にされる容器の接続手段に適合するように形成される受け入れ手段を備える下部と、上部、下部、および、側壁によって画定される大容積本体とを備え、大容積本体内への開口は、入れ子式飲料容器の内容物にアクセスするための唯一の手段である。【選択図】  図１
2013535379.tif 000002
【特許請求の範囲】
【請求項１】
大容積本体内への開口、シール手段、および、前記シール手段の下側に配置される接続手段を備える上部と、
隣接して入れ子にされる容器の前記接続手段に適合するように形成された受け入れ手段を備える下部と、
前記上部、前記下部、および、側壁によって画定される前記大容積本体と
を具備する入れ子式飲料容器であって、
前記大容積本体内への前記開口が、前記入れ子式飲料容器の内容物にアクセスするための唯一の手段である、入れ子式飲料容器。
【請求項２】
前記シール手段が、前記開口に隣接するねじ付き首部と、前記入れ子式飲料容器を除去可能にシールするための逆のねじが付けられたキャップとを備える、請求項１に記載の入れ子式飲料容器。
【請求項３】
前記大容積本体の前記側壁が、略円筒状である、請求項１に記載の入れ子式飲料容器。
【請求項４】
前記大容積本体の前記側壁は、前記上部の近傍で直径が先細っている、請求項３に記載の入れ子式飲料容器。
【請求項５】
前記接続手段が、前記上部の外面にねじ部を備える、請求項１に記載の入れ子式飲料容器。
【請求項６】
前記受け入れ手段が、少なくとも前記上部の逆の形状を有する、請求項１に記載の入れ子式飲料容器。
【請求項７】
前記シール手段が、前記開口を覆うタブ付き半脆弱面を備える、請求項１に記載の入れ子式飲料容器。
【請求項８】
前記シール手段が、前記開口を覆う剥離可能なタブを備える、請求項１に記載の入れ子式飲料容器。
【請求項９】
前記入れ子式飲料容器が、高分子、金属、金属合金、ガラス、または、これらの組み合わせのうちの少なくとも１つを備える、請求項１に記載の入れ子式飲料容器。
【請求項１０】
第１の飲料容器および第２の飲料容器を備える入れ子式飲料容器の組み合わせであって、
前記第１の飲料容器および前記第２の飲料容器がそれぞれ、
大容積本体内への開口、シール手段、および、前記シール手段の下側に配置される接続手段を備える上部と、
隣接して入れ子にされる容器の前記接続手段に適合するように形成される受け入れ手段を備える下部と、
前記上部、前記下部、および、側壁によって画定される前記大容積本体と
を備え、
前記大容積本体内への前記開口が、前記入れ子式飲料容器の内容物にアクセスするための唯一の手段であり、
前記第２の飲料容器の前記接続手段が前記第１の飲料容器の前記受け入れ手段と強固に係合される、入れ子式飲料容器の組み合わせ。
【請求項１１】
前記第１の飲料容器の前記シール手段が、前記開口に隣接するねじ付き首部と、前記入れ子式飲料容器を除去可能にシールするための逆のねじが付けられたキャップとを備え、前記第２の飲料容器の前記シール手段が、前記開口を覆う剥離可能なタブを備える、請求項１０に記載の入れ子式飲料容器の組み合わせ。
【請求項１２】
前記第１の飲料容器および前記第２の飲料容器のそれぞれの前記接続手段が、前記上部の外面にねじ部を備える、請求項１０に記載の入れ子式飲料容器の組み合わせ。
【請求項１３】
前記第１の飲料容器および前記第２の飲料容器のそれぞれの前記受け入れ手段が、少なくとも前記上部の逆形状を備える、請求項１０に記載の入れ子式飲料容器の組み合わせ。
【請求項１４】
第３の飲料容器を更に備え、
前記第３の飲料容器が、
大容積本体内への開口、シール手段、および、前記シール手段の下側に配置される接続手段を備える上部と、
隣接して入れ子にされる容器の前記接続手段に適合するように形成される受け入れ手段を備える下部と、
前記上部、前記下部、および、側壁によって画定される前記大容積本体と
を備え、
前記大容積本体内への前記開口が、前記入れ子式飲料容器の内容物にアクセスするための唯一の手段であり、
前記第３の飲料容器の前記接続手段が、前記第２の飲料容器の前記受け入れ手段と強固に係合される、請求項１０に記載の入れ子式飲料容器の組み合わせ。
【請求項１５】
前記第１の飲料容器および前記第２の飲料容器のそれぞれの前記シール手段が、前記開口を覆うタブ付き半脆弱面を備える、請求項１０に記載の入れ子式飲料容器の組み合わせ。
【請求項１６】
前記第１の飲料容器および前記第２の飲料容器がそれぞれ、高分子、金属、金属合金、ガラス、または、これらの組み合わせのうちの少なくとも１つを備える、請求項１０に記載の入れ子式飲料容器の組み合わせ。
【請求項１７】
前記第１の飲料容器の前記側壁が、前記第２の飲料容器が前記第１の飲料容器内に入れ子にされるときに前記第２の飲料容器の前記側壁と位置が合う、請求項１０に記載の入れ子式飲料容器の組み合わせ。
【請求項１８】
前記入れ子式飲料容器の組み合わせが、前記第２の飲料容器が前記第１の飲料容器内に入れ子にされるときに視覚的に連続した側壁を備える、請求項１７に記載の入れ子式飲料容器の組み合わせ。
【請求項１９】
飲料容器の組み合わせを形成する方法であって、
第１の飲料容器および第２の飲料容器を用意するステップであって、前記第１の飲料容器および前記第２の飲料容器がそれぞれ、
大容積本体内への開口、シール手段、および、前記シール手段の下側に配置される接続手段を備える上部と、
隣接して入れ子にされる容器の前記接続手段に適合するように形成される受け入れ手段を備える下部と、
前記上部、前記下部、および、側壁によって画定される前記大容積本体と
を備え、
前記大容積本体内への前記開口が、前記入れ子式飲料容器の内容物にアクセスするための唯一の手段である、ステップと、
前記第２の飲料容器の前記接続手段を前記第１の飲料容器の前記受け入れ手段と強固に係合させるステップと
を備える方法。
【請求項２０】
第３の飲料容器を用意するステップであって、前記第３の飲料容器が、
大容積本体内への開口、シール手段、および、前記シール手段の下側に配置される接続手段を備える上部と、
隣接して入れ子にされる容器の前記接続手段に適合するように形成される受け入れ手段を備える下部と、
前記上部、前記下部、および、側壁によって画定される前記大容積本体と
を備え、
前記大容積本体内への前記開口が、前記入れ子式飲料容器の内容物にアクセスするための唯一の手段である、ステップと、
前記第３の飲料容器の前記接続手段を前記第２の飲料容器の前記受け入れ手段と強固に係合させるステップと
を更に備える請求項２０に記載の方法。
【発明の詳細な説明】
【技術分野】
【０００１】
[0001]本発明の実施形態は、一般に、入れ子式飲料容器およびその方法に関する。より具体的には、本発明の実施形態は、隣接する容器との連結機能を有し、それにより、容易な輸送およびかなり低コストのパッケージングを可能にする改良された飲料容器に関する。
【背景技術】
【０００２】
[0002]従来、個々の飲料容器（例えば、ソーダの缶、水のボトルなど）は、４個または６個の小型パックの状態で、あるいは１２個、１８個、または２４個の大型パックの状態で、あるいは更には、３０個、３６個、またはそれ以上の「エコノミー」パックの状態で個別に購入できる。通常、そのようなパッケージは、容器を一緒にビニール包装する形でもたらされ、あるいは、大型パックまたはエコノミーパックの場合には、容器が段ボールトレイ上に配置された後にプラスチックフィルムで包装される。
【０００３】
[0003]そのようなタイプのバルク包装に伴う１つの問題は、パッケージが開放されていると、残りの容器をパッケージから落ちないように持ち歩くのが容易ではなく、輸送中に容器が地面に衝突すれば、容器の内容物がこぼれる可能性もある。すなわち、ビニール包装の完全性が破壊されると、容器を所定位置に保つ力が損なわれる。更に、容器のうちの１つが空にされれば、容器を単に当初のパッケージに戻すのは不都合である。むしろ、ユーザは、容器を直ちに廃棄せざるを得ず、あるいは、都合良く廃棄できるまで容器を持ち歩かなければならない。ユーザが不都合な場所、例えばビーチにいる場合には、それが必ずしも容易とは限らない。
【０００４】
[0004]更に、現在のパッケージング方法は、容器自体に加えて、廃棄され、および／またはリサイクルされる必要がある、一般にはコストが油に依存する−そのため、頻繁に変動する−環境に有害なプラスチックフィルムを必要とする。プラスチックフィルムは、容器を当初において包装目的で結合させることを除き、付加コストおよび廃棄物以外の目的を果たさない。
【発明の概要】
【発明が解決しようとする課題】
【０００５】
[0005]したがって、隣接する容器との連結機能を有し、それにより、容易な輸送および低コストのパッケージングを可能にする改良された飲料容器が求められている。
【課題を解決するための手段】
【０００６】
[0006]本発明の実施形態は、一般に、入れ子式飲料容器およびその方法に関する。より具体的には、本発明の実施形態は、隣接する容器との連結機能を有し、それにより、容易な輸送および低コストのパッケージングを可能にする改良された飲料容器に関する。
【０００７】
[0007]本発明の一実施形態において、入れ子式飲料容器は、大容積本体（ｖｏｌｕｍｉｎｏｕｓ  ｂｏｄｙ）内への開口、シール手段、および、シール手段の下側に配置される接続手段を備える上部と、隣接して入れ子にされる容器の接続手段に適合するように形成される受け入れ手段を備える下部と、上部、下部、および、側壁によって画定される大容積本体とを備え、大容積本体内への開口は、入れ子式飲料容器の内容物にアクセスするための唯一の手段である。
【０００８】
[0008]本発明の別の実施形態において、入れ子式飲料容器の組み合わせ（ｓｙｓｔｅｍ）は第１および第２の飲料容器を備え、第１および第２の飲料容器はそれぞれ、大容積本体内への開口、シール手段、および、シール手段の下側に配置される接続手段を備える上部と、隣接して入れ子にされる容器の接続手段に適合するように形成される受け入れ手段を備える下部と、上部、下部、および、側壁によって画定される大容積本体とを備え、大容積本体内への開口は、入れ子式飲料容器の内容物にアクセスするための唯一の手段であり、第２の飲料容器の接続手段は第１の飲料容器の受け入れ手段と強固に係合される。
【０００９】
[0009]本発明の更なる別の実施形態において、飲料容器の組み合わせを形成する方法は、第１および第２の飲料容器を用意するステップであって、
第１および第２の飲料容器がそれぞれ、大容積本体内への開口、シール手段、および、シール手段の下側に配置される接続手段を備える上部と、隣接して入れ子にされる容器の接続手段に適合するように形成される受け入れ手段を備える下部と、上部、下部、および、側壁によって画定される大容積本体とを備え、大容積本体内への開口が、入れ子式飲料容器の内容物にアクセスするための唯一の手段である、ステップと、第２の飲料容器の接続手段を第１の飲料容器の受け入れ手段と強固に係合させるステップとを備える。
【００１０】
[0010]本発明の前述した特徴を詳細に理解できるように、添付図面に示される実施形態を参照して、先に簡単に要約された本発明の実施形態を更に詳しく説明する。しかしながら、添付図面は、本発明の範囲内に含まれる典型的な実施形態を示しているにすぎず、したがって、限定的に見なされるべきでなく、本発明が他の同様に有効な実施形態を容認し得ることに留意されたい。
【図面の簡単な説明】
【００１１】
【図１】本発明の１つの実施形態に係る入れ子式飲料容器の側面図を描いている。
【図２】図１の入れ子式飲料容器の断面図を描いている。
【図３】図１の入れ子式飲料容器の平面図を描いている。
【図４】図１の入れ子式飲料容器の底面図を描いている。
【図５】本発明の一実施形態に係る入れ子にされた飲料容器の組み合わせを描いている。
【図６】本発明の一実施形態に係る入れ子式飲料容器の側面図を描いている。
【図７】本発明の一実施形態に係る入れ子にされた飲料容器の組み合わせを描いている。
【発明を実施するための形態】
【００１２】
[0018]本明細書中で使用される表題は、単なる組織的目的のためにすぎず、明細書の範囲または特許請求の範囲を限定するべく使用されるように意図されていない。この出願の全体にわたって使用される単語「〜してもよい（ｍａｙ）」は、強制的な意味（すなわち、〜しなければならないという意味）というよりはむしろ、許容的な意味（すなわち、〜する可能性を有するという意味）で使用される。同様に、単語「含む（ｉｎｃｌｕｄｅ）」、「含んでいる（ｉｎｃｌｕｄｉｎｇ）」、および、「含む（ｉｎｃｌｕｄｅｓ）」は、〜を含むがそれに限定されないことを意味する。理解を容易にするため、同様の参照符号は、可能な場合には、複数の図に共通の同様の要素を示すために使用されている。
【００１３】
[0019]本発明の実施形態は、一般に、入れ子にされる飲料容器およびその方法に関する。より具体的には、本発明の実施形態は、隣接する容器との連結機能を有し、それにより、容易な輸送および低コストのパッケージングを可能にする改良された飲料容器に関する。
【００１４】
[0020]図１は、本発明の一実施形態に係る入れ子式飲料容器の側面図を描いており、また、図２、図３、および図４は、図１に描かれる入れ子式飲料容器の断面図、平面図、および、底面図をそれぞれ描いている。入れ子式飲料容器１００は、一般に、上部１１０、下部１２０、および、大容積本体１３０を備える。この大容積本体１３０は、一般に、上部１１０、下部１２０、および、側壁１３２によって画定される。
【００１５】
[0021]入れ子式飲料容器１００は、本発明の実施形態に適した任意の材料を備えてもよい。一実施形態において、入れ子式飲料容器１００は、高分子、金属、金属合金、ガラス、これらの組み合わせ、あるいは、同等のもののうちの少なくとも１つを備える。
【００１６】
[0022]上部１１０は、一般に、大容積本体１３０内への開口１１２を備える。本発明の多くの実施形態によれば、開口１１２は、大容積本体１３０の内部および入れ子式飲料容器１１０の任意の内容物にアクセスするための唯一の手段である。
【００１７】
[0023]一般に、上部１１０はまた、シール手段１１４も備える。このシール手段１１４は、大容積本体１３０の内部へのアクセスを制御するのに適した任意の構造を備えてもよい。一実施形態において、シール手段１１４は、入れ子式飲料容器１００の開口１１２を除去可能にシールするためのねじ付き面と、逆のねじが付けられたキャップとを備える。別の実施形態において、シール手段１１４は、例えば典型的なソーダ缶で見出されるような開口１１２を覆うタブ付き半脆弱面を備える。更なる実施形態では、シール手段１１４が剥離可能なタブを備えてもよく、この剥離可能なタブは、接着剤または同様のタイプの結合剤によって開口１１２上にわたって除去可能に貼り付けられる。そのようなタイプの剥離可能なタブは、様々な食品および飲料製品で安全器具または不正開封器具として一般に利用される。
【００１８】
[0024]更なる別の実施形態において、シール手段１１４は、開口１１２を取り囲む関連する環状タブの周囲にスナップロックキャップを備えてもよい。更なる実施形態において、シール手段１１４は、例えばスポーツドリンクにおいて見出されるような閉塞可能なキャップを備えてもよく、その場合、ねじが付けられたキャップおよび面の組み合わせの概念が、キャップ自体の制御可能な開口によって更に補完される。そのような実施形態において、閉塞可能なキャップも、キャップの一部を望ましくない汚染物質から保護する塵埃キャップを備えてもよい。
【００１９】
[0025]本発明の多くの実施形態において、上部１１０は、入れ子式飲料容器１００を隣接する入れ子式飲料容器内に入れ子にできるようにするための接続手段１１６を更に備える。いくつかの実施形態において、接続手段は、入れ子式飲料容器の外側にねじ付き面を備える。そのような実施形態の多くにおいて、ねじ付き面は、シール手段１１４の真下の位置から下方へ延びる。別の実施形態において、接続手段１１６は、シール手段１１４の外面上にねじ付き面を備えてもよい。例えば、シール手段１１４が前述したようなねじ付きキャップを備える場合には、接続手段１１６がねじ付きキャップの外側にねじ付き面を備えてもよい。他の更なる実施形態において、接続手段１１６は、隣接する入れ子式飲料容器のスナップ嵌合型構造と係合するために、入れ子式飲料容器１００の外面からの環状突起を備えてもよい。
【００２０】
[0026]本発明の別の実施形態において、接続手段は、入れ子式飲料容器から外側に突出する少なくとも１つのタブを有する環状リングを備えてもよい。そのような実施形態において、少なくとも１つのタブは、隣接する入れ子式飲料容器と逆の受け入れパターン内で嵌合するように適合してもよい。一般に、タブが隣接する入れ子式飲料容器の受け入れパターン内へ僅かな回転（例えば、１／４回転、半回転など）で挿入されると、タブは、隣接する入れ子式飲料容器上の受け入れパターン内でしっかりと配置され得る。一般に、そのようなタイプの実施形態では、複数のタブが設けられる。
【００２１】
[0027]本発明の更なる他の実施形態では、隣接する入れ子式飲料容器と摩擦型嵌合をもたらすために、接続手段１１６は、上部１１０の外面の特定の構造的形態（例えば、先細の首部、砂時計形状など）を備えてもよい。
【００２２】
[0028]下部１２０は、一般に、隣接して入れ子にされる飲料容器の接続手段１１６に適合するように形成される受け入れ手段１２２を備えてもよい。多くの実施形態において、この受け入れ手段１２２は、上部１１０に配置される接続手段１１６の略逆構造である。例えば、一実施形態では、接続手段１１６が上部１１０の先細の側壁にねじ付きの外面を備える場合、受け入れ手段１２２は、接続手段１１６のねじ付き面を受けるための逆のねじが付けられた面１２４、ならびに、図示のような逆に先細りされた側壁を備えてもよい。言うまでもなく、本発明の実施形態においては、本明細書中に開示される接続手段１１６およびその変形例のそれぞれのタイプごとに、受け入れ手段１２２が接続手段に対して構造的に逆であってもよい。
【００２３】
[0029]多くの実施形態では、後述するように、隣接する入れ子式飲料容器との位置合わせを容易にできるように、入れ子式飲料容器の構成要素の多くが、上部１１０、下部１２０、および、大容積本体１３０の中心を通る中心軸線Ｃ−Ｃ周りに対称であってもよい。しかしながら、いくつかの実施形態では、それぞれの全ての構成要素を中心軸線に関して対称にすることが実用的でない場合があるのが分かる。例えば、入れ子式飲料容器が従来のソーダ缶に類似する場合には、その単一の開口が中心から外れて配置される。
【００２４】
[0030]図５は、本発明の一実施形態に係る入れ子にされた飲料容器の組み合わせを描いている。組み合わせ５００は、一般に、少なくとも第１の入れ子式飲料容器１００と第２の入れ子式飲料容器２００とを備える。しかしながら、いくつかの実施形態では、第３の入れ子式飲料容器から最大でｎ個までの入れ子式飲料容器が組み合わせ５００内に設けられてもよい。ここで、ｎは、本発明の実施形態の文脈の中で実現可能な任意の数である。
【００２５】
[0031]前述したように、組み合わせ５００内の入れ子式飲料容器のそれぞれは、一般に、上部、下部、および、大容積本体を備える。しかしながら、組み合わせ５００を形成するため、入れ子式飲料容器のそれぞれが与えられると、例えば、第１の入れ子式飲料容器１００および第２の入れ子式飲料容器２００が与えられると、第２の飲料容器２００の接続手段２１６が第１の飲料容器１００の受け入れ手段１２２と強固に螺合される。図示のように、接続手段２１６は、第２の入れ子式飲料容器２００の外面にねじ付き面を備え、また、受け入れ手段１２２は、接続手段２１６を受けるために対応する逆ねじが付けられた面を備える。
【００２６】
[0032]同様に、第３の入れ子式飲料容器３００が与えられる組み合わせ５００において、第３の飲料容器３００の接続手段３１６は、第２の飲料容器２００の受け入れ手段２２２と螺合される。図示のように、接続手段３１６は、第３の入れ子式飲料容器３００の外面にねじ付き面を備え、また、受け入れ手段２２２は、接続手段３１６を受けるために対応する逆ねじが付けられた面を備える。
【００２７】
[0033]多くの実施形態において、組み合わせ５００は、それぞれの入れ子式飲料容器のシール手段を除いて同様の構造を持つ入れ子式飲料容器を備えてもよい。例えば、一実施形態において、組み合わせ５００は、前述したように、ねじ付きキャップを備えるシール手段１１４を備える第１の入れ子式飲料容器１００を備えてもよい。しかしながら、同じ実施形態において、第２の入れ子式飲料容器２００は、必ずしもキャップが設けられていないにもかかわらず、その開口上にわたって剥離可能なタブを備えるとともにねじ付きキャップを受けるためのねじ付き外面を有するシール手段２１４を備えてもよい。
【００２８】
[0034]そのような例示的な実施形態において、組み合わせ５００のユーザは、第１の入れ子式飲料容器１００の内容物を消費でき、第１の入れ子式飲料容器１００を組み合わせ５００からおよび第２の入れ子式飲料容器２００の接続手段２１６から分離できてもよい。その後、第１の入れ子式飲料容器１００は、接続手段１１６を使用して、第３の入れ子式飲料容器３００の受け入れ手段３２２と強固に螺合されてもよい。更に、ユーザは、随意的に、シール手段１１４のねじ付きキャップを除去してもよい。その後、ユーザは、シール手段２１４の剥離可能なタブを除去してそれをねじ付きキャップと交換してもよい。一般に、そのような実施形態において、第３の入れ子式飲料容器３００はまた、剥離可能なタブを備えるシール手段も備える。したがって、ユーザは、入れ子式飲料容器のいずれが組み合わせ５００内で最上容器になるとしても、その最上容器に再シール可能なねじ付きキャップを有することができる。
【００２９】
[0035]随意的に、本発明の実施形態においては、複数の入れ子式飲料容器が組み合わせ５００内で螺合されると、それぞれの入れ子式飲料容器の各側壁の位置が合って、ほぼ連続的な側壁５３２を形成する。しかしながら、本発明のいくつかの実施形態が一定の直径または成形した側壁を有する入れ子式飲料容器を備えなくてもよい場合には、隣接する側壁の位置合わせが、第１の入れ子式飲料容器１００の下部と第２の入れ子式飲料容器の側壁との位置合わせだけを成してもよく、それにより、第１の入れ子式飲料容器が終わって第２の入れ子式飲料容器が始まる場所を一見して容易に特定できなくてもよいことは言うまでもない。
【００３０】
[0036]図１〜図５は、ボトルの一般的な形態で入れ子式飲料容器を描いているが、図６は、本発明の一実施形態に係る入れ子式飲料容器の側面図を描いている。図６は、実質的に従来のソーダ缶の形状の入れ子式飲料容器６００を描いている。しかしながら、図１〜図５に描かれる実施形態と同様に、入れ子式飲料容器６００は、上部、下部、および、大容積本体６３０を備え、この場合、大容積本体６３０は、上部、下部、および、側壁６３２によって画定される。
【００３１】
[0037]上部は、一般に、大容積本体６３０内への開口６１２、シール手段６１４、および、シール手段６１４の下側に配置される接続手段６１６を備える。例示的な実施形態において、シール手段６１４は、開口６１２を覆うタブ付き半脆弱面を備える。しかしながら、前述したシール手段のいずれかがこの例示的な実施形態にも同様に適する場合がある。図示のように、接続手段６１６は、入れ子式飲料容器６００の外側にねじ付き面を備える。しかしながら、同様に、前述した接続手段のいずれかがこの例示的な実施形態に適する場合がある。
【００３２】
[0038]入れ子式飲料容器６００の受け入れ手段６２２は、接続手段６１６に適合するための任意の適した構造、例えば、隣接する入れ子式飲料容器の接続手段を受けてこれと強固に螺合するための逆のねじが付けられた面６２４を備えてもよい。
【００３３】
[0039]図７は、本発明の一実施形態に係る入れ子にされた飲料容器の組み合わせを描いている。組み合わせ７００は、一般に、少なくとも第１の入れ子式飲料容器６００と第２の入れ子式飲料容器８００とを備える。しかしながら、いくつかの実施形態では、最大でｎ個の入れ子式飲料容器が組み合わせ７００内に設けられてもよい。ここで、ｎは、本発明の実施形態の文脈の中で実現可能な任意の数である。
【００３４】
[0040]前述したように、組み合わせ７００内の入れ子式飲料容器のそれぞれは、一般に、上部、下部、および、大容積本体を備える。しかしながら、組み合わせ７００を形成するため、入れ子式飲料容器のそれぞれが与えられると、例えば、第１の入れ子式飲料容器６００および第２の入れ子式飲料容器８００が与えられると、第２の飲料容器８００の接続手段８１６が第１の飲料容器６００の受け入れ手段６２２と強固に螺合される。図示のように、接続手段８１６は、第２の入れ子式飲料容器８００の外面にねじ付き面を備え、また、受け入れ手段６２２は、接続手段８１６を受けるために対応する逆ねじが付けられた面を備える。
【００３５】
[0041]先の説明は本発明の実施形態に向けられているが、本発明の基本的な範囲から逸脱することなく、本発明の他の更なる実施形態が案出されてもよい。例えば、本明細書では様々な特徴を有する多数の実施形態を説明してきたが、本明細書で論じられない他の組み合わせにおいては、本発明の実施形態の範囲内でそのような様々な特徴の組み合わせが考えられる。
【図１】
2013535379.tif 000003
【図２】
2013535379.tif 000004
【図３】
2013535379.tif 000005
【図４】
2013535379.tif 000006
【図５】
2013535379.tif 000007
【図６】
2013535379.tif 000008
【図７】
2013535379.tif 000009
【国際調査報告】
2013535379.tif 000010
2013535379.tif 000011